(57)【要約】【課題】ボール収容室の内周面の横断面形状を円形にして、ボールの外周面とボール収容室の内周面との間の隙間１０を均一にする。【解決手段】金属製のパイプ２の先端近傍の外周面にポンチ加工を施すことにより複数の凹部３を形成する。凹部３の位置するパイプ２の内周面にボール受け座用の複数の内方突出部４を形成する。パイプ２の先端を内方へ塑性変形させ環状の先端縁部５を形成する。内方突出部４と先端縁部５との間のパイプ２内にボール９を回転可能に抱持するボール収容室８を設ける。ボール収容室８の径方向外方のパイプ２外周面に、ポンチ加工を施すことにより、凹部３よりも径方向深さの浅い複数の微小凹部６を形成する。【選択図】  図１
2004330607.tif 000002
【特許請求の範囲】
【請求項１】
金属製のパイプの先端近傍の外周面にポンチ加工を施すことにより複数の凹部を形成すると共に、前記凹部の位置するパイプの内周面にボール受け座用の複数の内方突出部を形成し、さらに、前記パイプの先端を内方へ塑性変形させ環状の先端縁部を形成し、前記内方突出部と前記先端縁部との間の前記パイプ内にボールを回転可能に抱持するボール収容室を設けたボールペンチップであって、前記ボール収容室の径方向外方のパイプ外周面に、ポンチ加工を施すことにより、前記凹部よりも径方向深さの浅い複数の微小凹部を形成したことを特徴とするボールペンチップ。
【請求項２】
前記微小凹部の位置するパイプの内周面が、前記ボールと非接触である請求項１記載のボールペンチップ。
【請求項３】
前記各々の内方突出部が傾斜した前面部を備え、隣り合う前記内方突出部の前面部の相互間に、前記微小凹部の位置するパイプ内周面を位置させてなる請求項２記載のボールペンチップ。
【発明の詳細な説明】
【０００１】
【発明の属する技術分野】
本発明は、ボールペンチップに関する。尚、本発明で、「前」とはペン先用のボール側を指し、「後」とはその反対側を指す。
【０００２】
【従来の技術】
従来、この種のボールペンチップにおいて、例えば、特許文献１には、金属よりなる小径パイプの外周面所定箇所にボール受座面を構成する適宜数の内方突出部を形成し、該受座面にボールを載置するとともに、該ボールを回転自在に抱持せしめてなるものが開示されている。
【０００３】
【特許文献１】
実開昭６２−２５５８６号公報
【０００４】
【発明が解決しようとする課題】
前記従来のボールペンチップは、、図９乃至図１１に示すように、ボール受け座用の内方突出部４ａを得るために、パイプ２ａの外周面にポンチ加工により凹部３ａを形成した際、そのポンチ加工の影響により、ボール収容室８ａの横断面形状が円形から歪んだ形状になり、ボール９ａの外周面とボール収容室８ａの内周面との間の隙間１０ａが、一定幅の隙間寸法を備えず、不均一となりがちである。そうなった場合、前記従来のボールペンチップは、先端縁部５ａとボール９ａとのシール性が低下し、ペン先下向き時にインキが外部に漏出したり、インキ出に方向性が生じ、筆記方向によりインキ吐出量の差が大きくなったり、ボールの回転が不均一となり、筆記感が低下する等の不具合が生じるおそれがある。
【０００５】
本発明は前記従来の問題点を解決するものであって、ボール収容室の内周面の横断面形状を円形にして、ボールの外周面とボール収容室の内周面との間の隙間を均一にできるボールペンチップを提供しようとするものである。
【０００６】
【課題を解決するための手段】
〔１〕本発明は、金属製のパイプ２の先端近傍の外周面にポンチ加工を施すことにより複数の凹部３を形成すると共に、前記凹部３の位置するパイプ２の内周面にボール受け座用の複数の内方突出部４を形成し、さらに、前記パイプ２の先端を内方へ塑性変形させ環状の先端縁部５を形成し、前記内方突出部４と前記先端縁部５との間の前記パイプ２内にボール９を回転可能に抱持するボール収容室８を設けたボールペンチップ１であって、前記ボール収容室８の径方向外方のパイプ２外周面に、ポンチ加工を施すことにより、前記凹部３よりも径方向深さの浅い複数の微小凹部６を形成したこと（請求項１）を要件とする。
【０００７】
前記請求項１により、前記微小凹部６を形成するためのポンチ加工により、ボール収容室８の内周面の横断面形状が円形に矯正される。それにより、ボール９の外周面とボール収容室８の内周面との間の隙間１０が均一となる。その結果、先端縁部５とボール９とのシール性が向上すると共に、方向性の無い筆跡が得られ、さらに、均一なボール９の回転により筆記感が向上するボールペンチップ１を得ることができる。
【０００８】
〔２〕また、前記請求項１のボールペンチップ１において、前記微小凹部６の位置するパイプ２の内周面が、前記ボール９と非接触であること（請求項２）が好ましい。
【０００９】
それにより、ボール収容室８内において、滑らかなボール９の回転が維持される。もし、ボール９が、微小凹部６の位置するパイプ２の内周面（膨出部７）と接触すると、ボール９の滑らかな回転が損なわれるおそれがある。
【００１０】
〔３〕前記請求項２のボールペンチップ１において、前記各々の内方突出部４が傾斜した前面部４１を備え、隣り合う前記内方突出部４の前面部４１の相互間に、前記微小凹部６の位置するパイプ２内周面を位置させてなること（請求項３）が好ましい。
【００１１】
それにより、微小凹部６の位置するパイプ２内周面の内径（膨出部７の頂点に接する仮想内接円の直径）が、ボール９の外径より小さくなったとしても、請求項２の微小凹部６の位置するパイプ２内周面とボール９とが接触しない構成を容易に得ることができる。
【００１２】
【発明の実施の形態】
本発明の実施の形態を図面に従って説明する。
【００１３】
（第１実施例）
本発明のボールペンチップ１の第１実施例を図１乃至図４に示す。
【００１４】
本実施例のボールペンチップ１は、金属製のパイプ２の先端近傍の外周面にポンチ加工により形成した凹部３と、前記凹部３のパイプ２内周面に形成したボール受け座用の内方突出部４と、前記パイプ２の先端を内方へ環状に塑性変形させ形成した先端縁部５と、前記内方突出部４と前記先端縁部５との間のパイプ２内に形成したボール収容室８と、前記ボール収容室８に回転可能に抱持されるボール９と、前記ボール収容室８の位置するパイプ２の外周面に形成した微小凹部６とからなる。
【００１５】
前記金属製のパイプ２は、具体的には、材質が、ステンレス鋼（例えば、ＳＵＳ３０４、ＳＵＳ３０５、ＳＵＳ３２１等のオーステナイト系ステンレス鋼）よりなる。前記パイプ２は、少なくとも先端部が円筒状である。また、前記パイプ２の先端部外周面には、前方に向かうに従って外径が小さくなる円錐面状のテーパ部２１が形成される。
【００１６】
前記パイプ２の先端近傍の外周面には、等間隔にポンチ加工が同一円周上に３箇所に施され、それにより、３個の凹部３が形成される。それと同時に、前記凹部３の位置するパイプ２の内周面には、径方向内方に突出する３個の内方突出部４が形成される。そして、前記内方突出部４の前面部４１が、ボール９の後面を支持するボール受け座となる。
【００１７】
前記ポンチ加工は、前記パイプ２の先端近傍の外周面に３本のポンチを径方向内方に同時に打つことにより成される。前記ポンチの先端は先細状（具体的には円錐面状または角錐面状の尖形形状となっているため、前記内方突出部４の前面部４１は、軸線に対して傾斜したボール受け座となる。
【００１８】
前記ボール収容室８の径方向外方のパイプ２の外周面には、ポンチ加工により、前記凹部３よりも径方向深さの浅い３個の微小凹部６が同一円周上に等間隔に形成される。前記微小凹部６は、隣り合う前記凹部３の相互間距離の中心を通る軸方向の延長線上に形成される。さらに、前記微小凹部６の最底部は、前記凹部３の最底部より僅かに前方位置にある。図１に示すように、Ａ−Ａ線は各々の微小凹部６の最底部を通り、Ｂ−Ｂ線は各々の凹部３の最底部を通る。即ち、Ａ−Ａ線は、Ｂ−Ｂ線より僅かに前方位置にあり、内方突出部４の軸線に対して傾斜した前面部４１を通る。
【００１９】
前記微小凹部６によりボール収容室８のパイプ２の内周面には、径方向内方に僅かに突出した膨出部７が形成される。前記膨出部７は、隣り合う内方突出部４の傾斜面状の前面部４１（ボール受け座）の相互間距離の中心に形成される。そのため、前記膨出部７は、径方向内方に大きく突出され、膨出部７の頂点に接する仮想内接円の直径がボール９の外径より小さくなったとしても、ボール９と非接触となるよう容易に設定できる。
【００２０】
前記ボール受け座用の凹部３を形成した後、前記凹部３の近傍のパイプ２内周面（ボール収容室８の内周面）は、横断面形状が円形から僅かに歪んだ非円形状となっている。しかし、前記微小凹部６により、ボール収容室８の内周面が横断面円形状に矯正される。したがって、図４に示すように、ボール９の外周面とボール収容室８の内周面との隙間１０が均一になる。
【００２１】
前記パイプ２の先端部は、径方向内方への塑性変形により環状の先端縁部５が形成される。前記先端縁部５の内周面により、ボール９が抜け止めされると共に、前記先端縁部５の内周面とボール９とが環状に接触してインキの漏出を防止でき、先端縁部５とボール９とのシール性が向上する。図１において２点鎖線は先端縁部５を示す。
【００２２】
（第２実施例）
本発明のボールペンチップ１の第２実施例を図５乃至図８に示す。
【００２３】
本実施例のボールペンチップ１は、金属製のパイプ２の先端近傍の外周面にポンチ加工により形成した凹部３と、前記凹部３のパイプ２内周面に形成したボール受け座用の内方突出部４と、前記パイプ２の先端を内方へ環状に塑性変形させ形成した先端縁部５と、前記内方突出部４と前記先端縁部５との間のパイプ２内に形成したボール収容室８と、前記ボール収容室８に回転可能に抱持されるボール９と、前記ボール収容室８の位置するパイプ２の外周面に形成した微小凹部６とからなる。
【００２４】
前記金属製のパイプ２は、具体的には、材質が、ステンレス鋼（例えば、ＳＵＳ３０４、ＳＵＳ３０５、ＳＵＳ３２１等のオーステナイト系ステンレス鋼）よりなる。前記パイプ２は、少なくとも先端部が円筒状である。また、前記パイプ２の先端部外周面には、前方に向かうに従って外径が小さくなる円錐面状のテーパ部２１が形成される。
【００２５】
前記パイプ２の先端近傍の外周面には、等間隔にポンチ加工が同一円周上に４箇所に施され、それにより、４個の凹部３が形成される。それと同時に、前記凹部３の位置するパイプ２の内周面には、径方向内方に突出する４個の内方突出部４が形成される。そして、前記内方突出部４の前面部４１が、ボール９の後面を支持するボール受け座となる。
【００２６】
前記ポンチ加工は、前記パイプ２の先端近傍の外周面に４本のポンチを径方向内方に同時に打つことにより成される。前記ポンチの先端は円錐面状または角錐面状の尖形形状となっているため、前記内方突出部４の前面部４１は、軸線に対して傾斜したボール受け座となる。
【００２７】
前記ボール収容室８の径方向外方のパイプ２の外周面には、ポンチ加工により、前記凹部３よりも径方向深さの浅い４個の微小凹部６が同一円周上に等間隔に形成される。前記微小凹部６は、隣り合う前記凹部３の相互間距離の中心を通る軸方向の延長線上に形成される。さらに、前記微小凹部６の最底部は、前記凹部３の最底部より僅かに前方位置にある。図５に示すように、Ｃ−Ｃ線は各々の微小凹部６の最底部を通り、Ｄ−Ｄ線は各々の凹部３の最底部を通る。即ち、Ｃ−Ｃ線は、Ｄ−Ｄ線より僅かに前方位置にあり、内方突出部４の軸線に対して傾斜した前面部４１を通る。
【００２８】
前記微小凹部６によりボール収容室８のパイプ２の内周面には、径方向内方に僅かに突出した膨出部７が形成される。前記膨出部７は、隣り合う内方突出部４の傾斜面状の前面部４１（ボール受け座）の相互間距離の中心に形成される。そのため、前記膨出部７は、径方向内方に大きく突出され、膨出部７の頂点に接する仮想内接円の直径がボール９の外径より小さくなったとしても、ボール９と非接触となるよう容易に設定できる。
【００２９】
前記ボール受け座用の凹部３を形成した後、前記凹部３の近傍のパイプ２内周面（ボール収容室８の内周面）は、横断面形状が円形から僅かに歪んだ非円形状となっている。しかし、前記微小凹部６により、ボール収容室８の内周面が横断面円形状に矯正される。したがって、図８に示すように、ボール９の外周面とボール収容室８の内周面との隙間１０が均一になる。
【００３０】
前記パイプ２の先端部は、径方向内方への塑性変形により環状の先端縁部５が形成される。前記先端縁部５の内周面により、ボール９が抜け止めされると共に、前記先端縁部５の内周面とボール９とが環状に接触してインキの漏出を防止でき、先端縁部５とボール９とのシール性が向上する。図５において２点鎖線は先端縁部５を示す。
【００３１】
尚、本発明において、前記微小凹部６は、隣り合う凹部３の相互間距離の中心を通る軸方向の延長線上に、前記実施例のように１個ずつ形成する構成以外にも、前記延長線上に複数個を形成してもよい。
【００３２】
尚、本発明において、前記微小凹部６は、少なくとも、隣り合う凹部３の相互間を通る軸方向の延長線上（即ち凹部３を通る軸方向の延長線上を除くパイプ２外周面）ならばよく、必ずしも隣り合う凹部３の相互間距離の中心を通る軸方向の延長線上に形成しなくてもよい。
【００３３】
尚、本発明において、前記ボール９がスプリング等の弾発部材により前方に付勢されて先端縁部５の内周面と密接される構成を採用することも有効である。それにより、先端縁部５とボール９との、より一層確実なシール性が得られる。
【００３４】
【発明の効果】
前記請求項１により、微小凹部を形成するためのポンチ加工により、ボール収容室の内周面の横断面形状が円形に矯正され、それにより、ボールの外周面とボール収容室の内周面との間の隙間が均一となる。
【００３５】
請求項２により、インキ収容室内において、滑らかなボールの回転が維持される。
【００３６】
請求項３により、微小凹部の位置するパイプ内周面の内径が、ボールの外径より小さくなったとしても、微小凹部の位置するパイプ内周面とボールとが接触しない構成を容易に得ることができる。
【図面の簡単な説明】
【図１】本発明の第１実施例を示す要部縦断面図である。
【図２】図１のＡ−Ａ線端面図である。
【図３】図１のＢ−Ｂ線端面図である。
【図４】図１の平面図である。
【図５】本発明の第２実施例を示す要部縦断面図である。
【図６】図５のＣ−Ｃ線端面図である。
【図７】図５のＤ−Ｄ線端面図である。
【図８】図５の平面図である。
【図９】従来例を示す要部縦断面図である。
【図１０】図９のＸ−Ｘ線端面図である。
【図１１】図９の平面図である。
【符号の説明】
１  ボールペンチップ
２  パイプ
２１  テーパ部
３  凹部
４  内方突出部
４１  前面部
５  先端縁部
６  微小凹部
７  膨出部
８  ボール収容室
９  ボール
１０  隙間
【図１】
2004330607.tif 000003
【図２】
2004330607.tif 000004
【図３】
2004330607.tif 000005
【図４】
2004330607.tif 000006
【図５】
2004330607.tif 000007
【図６】
2004330607.tif 000008
【図７】
2004330607.tif 000009
【図８】
2004330607.tif 000010
【図９】
2004330607.tif 000011
【図１０】
2004330607.tif 000012
【図１１】
2004330607.tif 000013